(57)【要約】【課題】複数種別の皮膚手入れ機能を備え、かつ手入れ機能の強さや速さを調節可能な皮膚手入れ装置を提供すること。【解決手段】皮膚手入れ装置は、パネル１２と、子機制御信号を生成して送出する制御回路１１とを備えた親機１０と、制御信号受信回路を備えた子機制御回路１７と、それぞれ異なる機能を備えた皮膚手入れ手段１８、１９を備えた複数種別の子機１６とを備える。複数の子機を共通の親機で制御するので、機能毎に個別の装置を用いるよりハードウェアが削減され、装置の操作性も向上する。【選択図】      図１
2005065719.tif 000002
【特許請求の範囲】
【請求項１】
指示入力手段と、子機制御信号を生成して送出する制御信号送信手段とを備えた親機と、
制御信号受信手段と、子機制御手段と、子機制御手段によって制御される、それぞれ異なる機能を備えた皮膚手入れ手段とを備えた複数種別の子機と
を備えたことを特徴とする皮膚手入れ装置。
【請求項２】
前記指示の内容は、子機種別、強さ、速さを含むことを特徴とする請求項１に記載の皮膚手入れ装置。
【請求項３】
特定の子機はその他の子機と独立に並行して動作可能に構成されていることを特徴とする請求項１に記載の皮膚手入れ装置。
【発明の詳細な説明】
【０００１】
【発明の属する技術分野】
本発明は皮膚手入れ装置に関し、特に複数種別の皮膚手入れ機能を備え、かつ手入れ機能の強さや速さを調節可能な皮膚手入れ装置に関するものである。
【０００２】
【従来の技術】
従来、皮膚の手入れ装置として、いわゆる美顔器と称される皮膚手入れ装置が各種提案されている。例えば、特開２００１−１６１４３８号公報には吸引を行う美顔器が、また、特開２００１−１９０５８６号公報には加熱と冷却を行う美顔器が記載されている。
【０００３】
【発明が解決しようとする課題】
上記した従来の皮膚手入れ装置においては、手入れの方法として吸引なら吸引のみを行う単機能の装置であり、各種の手入れ方法を行うためには、それぞれの手入れ機能を有する装置を複数揃えなければならないという問題点があった。
【０００４】
本発明の目的は、前記のような従来技術の問題点を解決し、複数種別の皮膚手入れ機能を有する子機を備え、かつ手入れ機能の強さや速さを調節可能な共通の親機を備えた皮膚手入れ装置を提供することにある。
【０００５】
【課題を解決するための手段】
本発明の皮膚手入れ装置は、指示入力手段と、子機制御信号を生成して送出する制御信号送信手段とを備えた親機と、制御信号受信手段と、子機制御手段と、子機制御手段によって制御される、それぞれ異なる機能を備えた皮膚手入れ手段とを備えた複数種別の子機とを備えたことを特徴とする。
本発明の皮膚手入れ装置は複数の子機を共通の親機で制御するので、機能毎に個別の装置を用いるよりハードウェアが削減され、装置の操作性も向上する。
【０００６】
【発明の実施の形態】
以下、本発明の実施の形態を詳細に説明する。図１は、本発明の皮膚手入れ装置の構成を示すブロック図である。皮膚手入れ装置は親機１０とパッティング子機などの子機１６からなる。親機１０はパッティング子機１６を始め、これ以外の子機、例えば吸引（クリーナ）子機、テスラー管子機、温熱面と冷却面を備えた温冷子機（以下、ＣＨプレート子機と記す）などに共通に使用できるように設計されている。更に、親機自体がスチーム発生手段を備えている。
【０００７】
親機１０には使用者が子機１６の動作を指定、確認するためのパネル１２が備えられている。パネル１２には子機選択スイッチ１３、強さ選択スイッチ、速さ選択スイッチ、および表示用のＬＥＤ（発光ダイオード）１４等が備えられており、例えば使用者が子機選択スイッチ１３を１回押下する度に、選択される子機が１つ右に移動し、最右端の子機の次には最左端の子機が選択されるようになっている。強さ、速さについても使用者による同様の操作によって所望の動作を選択可能である。なお、ＣＨプレート子機については専用のスイッチが設けられている。
【０００８】
親機１０の制御回路１１は、パネル１３から入力された操作情報に基づき内部状態を更新し、この内部状態に基づいて表示を更新すると共に、コード１５を介して子機１６に対して制御信号を送出する。このコード１５は、電源線（＋７Ｖ）、接地線および信号線の３本の電線を備えている。
【０００９】
図３は、親機１０の構成を示すブロック図である。この例では、親機１０には子機の制御回路とスチーム発生装置が装備されている。スチーム発生装置４１〜４５およびその制御回路４０は子機の制御回路とは独立しており、動作上関連がないので、詳細な説明は省略する。
【００１０】
子機の制御回路は、図２の上部に示すようにパネル上のスイッチ１３、３３、発光ダイオード１４、３５、親機制御回路１１を構成する子機制御パネル回路３０および制御信号生成回路３１、子機との接続用コネクタ３２を含み、更に利用者が設定した時間を計測するタイマー回路３４、タイムアップ表示用のブザー３６、各回路にクロック信号を供給するクロック発生回路３７を含んでいる。
【００１１】
子機との接続用コネクタ３２は並列に２個設けられている。これは、ＣＨプレート子機は電源を入れてから使用可能になるまでに多少の時間がかかるので、他の子機とＣＨプレート子機の双方をコネクタ３２に接続し、ＣＨプレート子機の電源を入れておきながら他の子機を使用可能にするためである。このため、後述するようにＣＨプレート子機とそれ以外の子機はそれぞれ独立して制御可能に構成されている。
【００１２】
図４は、子機制御パネル回路３０の構成を示す回路図である。子機選択信号発生回路５０は、図示されているように、選択スイッチを押下する度にカウンタが歩進しＱ０、Ｑ１に０〜３の２進信号が出力される。マルチプレクサはこの信号をデコードしてＱ０（＝選択無し）を示す信号ａを出力すると共に、１〜３の場合にはそれぞれ対応する発光ダイオードを点灯させる。なお、カウンタのＱ０、Ｑ１は選択信号ｂ、ｃとして出力される。
【００１３】
強さ信号発生回路５１および速さ信号発生回路５２の回路構成は子機選択信号発生回路５０とほぼ同じであるが、マルチプレクサの出力Ｑ０〜Ｑ２が発光ダイオードに接続されており、カウンタはマルチプレクサの出力Ｑ３が１になるとリセットされるように構成されている点が異なる。
【００１４】
従って、強さスイッチあるいは速さスイッチを押下する度に、強さ信号発生回路５１あるいは速さ信号発生回路５２の出力信号ｄ、ｅあるいはｆ、ｇが０→１→２→０→…と変化する。ＣＨプレート子機オンオフ信号発生回路５３は、スイッチを押下する度に出力信号ｈが反転する。ＣＨ強さ信号発生回路５４も回路構成はオンオフ信号発生回路５３と同一である。
【００１５】
図５は、制御信号生成回路３１の構成を示す回路図である。図４の子機制御パネル回路３０から発生された制御信号の内、ｈ、ｉは直接、ｂ〜ｇはＡＮＤゲート６１を介してマルチプレクサ６２の入力端子に入力される。
【００１６】
カウンタ７０は出力Ｑ５がリセット端子に接続されており、クロック発生回路３７から出力される１ミリ秒パルスを計数する１６進カウンタとして動作する。フリップフロップ７１はカウンタ７０のＱ５でセットされ、Ｑ４でリセットされるので、カウンタ７０のカウント値が０〜７の間のみ出力Ｑが１となる。
【００１７】
カウンタ７２はカウンタ７０のカウント値が０〜７の間のみリセットが解除されてクロックをカウントし、３ビットの計数値をマルチプレクサ６２の選択信号として出力する。従って、マルチプレクサ６２からは制御信号ｈ、ｉ、ｂ〜ｇ（ａ＝０の場合）が１ミリ秒毎に切り替わり出力される。
【００１８】
フリップフロップ７１の出力Ｑが１の間、ＡＮＤゲート７３からクロック信号が出力され、クロック信号の立ち上がり時にＡＮＤゲート７５から細いパルスが出力される。このパルスは、マルチプレクサ６２から出力される制御信号が１であればワンショットマルチバイブレータ６６を、０であればワンショットマルチバイブレータ６７を起動する。
【００１９】
ワンショットマルチバイブレータ６６は７５０マイクロ秒のパルスを、ワンショットマルチバイブレータ６７は２５０マイクロ秒のパルスを出力する。従って、出力端子からは図６に示すような８ビットの情報を示すパルス幅変調された制御信号が周期的に出力される。
【００２０】
図６は、制御信号生成回路３１の主要部の波形を示す波形図である。信号はパルス幅変調された長さＴ２（例えば８ミリ秒）の８ビットのパルス信号列からなり、所定の周期Ｔ１（例えば１６ミリ秒）で繰り返し伝送される。各パルスの間隔Ｔ４は例えば１ミリ秒であり、”０”を表すパルスのパルス幅Ｔ５は例えば２５０マイクロ秒であり、”１”を表すパルスのパルス幅Ｔ６は例えば７５０マイクロ秒である。
【００２１】
図２は、制御信号の各ビットの機能を示す説明図である。ビット１、２はＣＨプレート子機専用の制御信号であり、ビット３〜８はその他の子機用の制御信号である。これらの信号の情報はパネルからそれぞれ独立して設定可能である。
【００２２】
図７は、本発明の皮膚手入れ装置のパッティング子機１６の構成を示すブロック図である。パッティング子機１６は、ケーブル１５と接続されるコネクタ８０、ソレノイド用電源回路８１、ソレノイド駆動回路８２、ソレノイド（電磁石）１８、信号受信、制御回路８３、速さ制御回路８４、回路用電源回路８５を備えている。
【００２３】
ソレノイド用電源回路８１は、出力のオン／オフおよび出力電圧の３段階の変化が可能な直列型のスイッチングレギュレータ回路である。レギュレータ制御ＩＣのオン／オフ制御端子に外部から信号を入力するより、出力のオン／オフが可能に構成されている。また、レギュレータ制御ＩＣの制御電圧入力端子にフィードバックする電圧の分圧比を３段階に変更することにより出力端子の電圧が３段階に切り替わる。
ソレノイド駆動回路８２は外部からの制御信号により、ソレノイド１８に印加するソレノイド用電源回路８１の出力電圧の極性を制御するブリッジ型のスイッチ回路である。
【００２４】
速さ制御回路８４の発振回路ＩＣとしてはＮＥ５５５など周知のワンショットマルチバイブレータＩＣを使用可能である。この発振回路は外部からの制御信号に基づいて発振周波数を３段階に変更可能であり、出力端にはデューティー比５０％の矩形波およびその反転信号が出力される。
【００２５】
図８は、信号受信、制御回路８３の構成を示す回路図である。コネクタ８０の信号線端子に接続されたノイズ除去回路９０の出力信号は、汎用のラッチ回路付きシフトレジスタＩＣ（７４ＨＣ５９５）９１の信号入力端子（ＳＩ）、および２つのワンショットマルチバイブレータＩＣ９２、９３のトリガ端子に接続されている。
【００２６】
第１のワンショットマルチバイブレータＩＣ９２はＴ５＜出力パルス幅＜Ｔ６となるような出力パルス幅、例えば５００マイクロ秒の負のパルスを出力し、このパルスはシフトレジスタ９１のシフトクロック入力端子（ＳＣＫ）に入力される。シフトレジスタ９１は、ＳＣＫに入力されたパルスの立ち上がりで入力信号ＳＩを取り込み、データをシフトする。この結果、例えば図６に示すような情報がシフトレジスタに蓄積されていく。
【００２７】
第２のワンショットマルチバイブレータＩＣ９３はＴ２＜出力パルス幅＜Ｔ１となるような出力パルス幅、例えば９ミリ秒の負のパルスを出力し、このパルスはシフトレジスタ９１のラッチクロック入力端子（ＲＣＫ）に入力される。情報受信中はＲＣＫが０であるので、ラッチ回路の値が出力されているが、受信が終了してＲＣＫが１になると、シフトレジスタの値がラッチ回路に読み込まれ、かつ出力される。従って、情報が更新されていた場合にはこの時点でシフトレジスタ９１の出力が更新される。
【００２８】
なお、図７においてシフトレジスタ９１の右側に記載されている番号は、先頭の情報ビットを１とするシフトレジスタ９１の出力ビット番号である。本実施例においては、情報の各ビットは図２に示すような意味を持っている。
【００２９】
ＡＮＤゲート９５はパッティング子機アドレスであるビット３、４が１１を検出した場合にのみ１を出力する。すると、ＡＮＤゲート９６を介してソレノイド用電源回路８１へオン信号が出力され、動作可能となる。また、強さ制御信号もソレノイド用電源回路８１へ出力され、この信号に基づき出力電圧が３段階に変化する。なお、速さ制御信号は速さ制御回路８４に出力され、この制御信号に基づいて発振周波数が３段階に変化する。
以上述べたような構成により、共通の親機によって複数の子機を制御可能である。
【００３０】
以上、本発明の実施例を開示したが、本発明には下記のような変形例も考えられる。実施例においては、親機や子機の制御回路をハードウェアによって構成する例を開示したが、制御回路を１チップＣＰＵを使用したプログラム制御によって実現することも可能である。制御信号はパルス幅変調方式である例を開示したが、信号の形式は任意のベースバンド伝送方式あるいは任意の変調方式を採用可能である。子機の種類や数は任意であり、必要な数だけ制御ビットを用意すればよい。
【００３１】
【発明の効果】
以上述べたように、本発明の皮膚手入れ装置は複数の子機を共通の親機で制御するので、機能毎に個別の装置を用いるよりハードウェアが削減され、装置の操作性も向上するという効果がある。また、準備に時間がかかる子機を並列して動作させておくことができるように構成されているので、複数の子機を順次使用する場合に子機準備待ち時間が短縮されるという効果もある。
【図面の簡単な説明】
【図１】本発明の皮膚手入れ装置の構成を示すブロック図である。
【図２】制御信号の各ビットの機能を示す説明図である。
【図３】親機１０の構成を示すブロック図である。
【図４】子機制御パネル回路３０の構成を示す回路図である。
【図５】制御信号生成回路３１の構成を示す回路図である。
【図６】制御信号生成回路３１の主要部の波形を示す波形図である。
【図７】本発明の皮膚手入れ装置のパッティング子機１６の構成を示すブロック図である。
【図８】信号受信、制御回路８３の構成を示す回路図である。
【符号の説明】
１０…親機、１１…制御回路、１２…パネル、１３…子機選択スイッチ、１４…発光ダイオード、１５…コード、１６…子機、１７…子機制御回路、１８…ソレイド、３０…子機制御パネル回路、３１…制御信号生成回路、３２…接続用コネクタ、３３…スイッチ、３４…タイマー回路、３５…発光ダイオード、３６…ブザー、３７…クロック発生回路、４０…スチーム制御回路
【図１】
2005065719.tif 000003
【図２】
2005065719.tif 000004
【図３】
2005065719.tif 000005
【図４】
2005065719.tif 000006
【図５】
2005065719.tif 000007
【図６】
2005065719.tif 000008
【図７】
2005065719.tif 000009
【図８】
2005065719.tif 000010